(57)【要約】【課題】吊り込み溝内で固定部に固定される布部材と、吊り込み溝内に引き込まれるカバー部材の表皮と、を強固に結合して、カバー部材の吊り込み状態を適切に維持する。【解決手段】パッド部材１０を覆うカバー部材２０を吊り込むために、パッド部材１０に形成された吊り込み溝１１内に在る固定ワイヤ１５の露出部１５ａと、露出部１５ａに固定されるトリムコード２０と、を有するシートにおいて、カバー部材２０のうち、開口１２を通じて吊り込み溝１１内に入り込んだ第一部分及び第二部分の双方が、当該双方に備わる表皮２１の端末部同士を重ね合わせた表皮重ね合わせ部２３を形成している。この表皮重ね合わせ部２３には、重ね合わされた表皮２１の端末部の間にトリムコード３０を挟み込んだ挟み込み部２４と、少なくとも挟み込み部２４中の一部の領域において表皮２１の端末部同士を溶着することで形成された溶着部２４と、が設けられている。【選択図】図４
2016112179.tif 000002
【特許請求の範囲】
【請求項１】
吊り込み溝が形成されたパッド部材と、表皮を備え前記パッド部材を覆うカバー部材と、前記吊り込み溝内に在る固定部と、前記カバー部材に取り付けられ前記カバー部材を吊り込むために前記固定部に固定される布部材と、を有するシートであって、
前記カバー部材のうち、前記吊り込み溝の開口を通じて前記吊り込み溝内に入り込んだ第一部分及び第二部分の双方は、当該双方が備える前記表皮の端部同士を重ね合わせた表皮重ね合わせ部を形成しており、
該表皮重ね合わせ部には、重ね合わされた前記表皮の端部の間に前記布部材を挟み込んだ挟み込み部と、少なくとも前記挟み込み部中の一部の領域において前記表皮の端部同士を溶着することで形成された溶着部と、が設けられていることを特徴とするシート。
【請求項２】
前記表皮重ね合わせ部は、前記挟み込み部と、前記表皮重ね合わせ部の自由端とは反対位置で前記挟み込み部と隣接する隣接部と、を有し、
該隣接部では、前記双方の前記表皮の端部同士が接しており、
前記溶着部は、前記挟み込み部と前記隣接部との境界位置を跨いで形成されていることを特徴とする請求項１に記載のシート。
【請求項３】
前記吊り込み溝は、前記パッド部材において所定方向に長く形成されており、
前記溶着部は、前記吊り込み溝の長手方向において前記表皮重ね合わせ部の一端から他端に亘って連続して形成されていることを特徴とする請求項２に記載のシート。
【請求項４】
前記挟み込み部は、前記表皮重ね合わせ部の自由端の位置から形成されており、
前記溶着部は、少なくとも、前記自由端の位置から前記挟み込み部の前記自由端とは反対側にある端の位置まで形成されていることを特徴とする請求項１乃至３のいずれか一項に記載のシート。
【請求項５】
前記挟み込み部は、前記自由端の位置から前記挟み込み部の前記自由端とは反対側にある端を越えた位置まで形成されていることを特徴とする請求項４に記載のシート。
【請求項６】
前記カバー部材は、前記表皮からなる層とクッション性材料からなる層とを備える部分と、前記表皮からなる層を備える一方で前記クッション性材料からなる層を欠く部分と、を有し、
前記双方は、いずれも、前記表皮からなる層を備える一方で前記クッション性材料からなる層を欠く部分に相当することを特徴とする請求項１乃至５のいずれか一項に記載のシート。
【請求項７】
前記吊り込み溝は、前記パッド部材において所定方向に長く形成されており、
前記溶着部は、前記挟み込み部中、前記吊り込み溝の長手方向における一端位置から他端位置に亘る領域に形成されていることを特徴とする請求項１乃至６のいずれか一項に記載のシート。
【請求項８】
前記吊り込み溝は、前記パッド部材において所定方向に長く形成されており、
前記表皮重ね合わせ部は、前記挟み込み部と、前記吊り込み溝の長手方向において前記挟み込み部と並ぶ位置に設けられた並設部と、を有し、
該並設部では、前記双方の前記表皮の端部同士が接しており、
前記溶着部は、前記長手方向において前記挟み込み部と前記並設部との境界位置を越えて形成されていることを特徴とする請求項１に記載のシート。
【請求項９】
前記並設部は、前記長手方向の一端側で前記挟み込み部と並ぶ位置、及び、前記長手方向の他端側で前記挟み込み部と並ぶ位置にそれぞれ設けられ、
前記溶着部は、前記長手方向の一端側に設けられた前記並設部と前記挟み込み部との境界位置を越え、かつ、前記長手方向の他端側に設けられた前記並設部と前記挟み込み部との境界位置を越えて形成されていることを特徴とする請求項８に記載のシート。
【請求項１０】
前記吊り込み溝は、前記パッド部材において所定方向に長く形成されており、
前記布部材は、前記吊り込み溝の長手方向に沿って連続した状態で設けられており、
前記長手方向における前記布部材の一端が、前記長手方向における前記吊り込み溝の一端と隣り合い、
前記長手方向における前記布部材の他端が、前記長手方向における前記吊り込み溝の他端と隣り合うことを特徴とする請求項１乃至９のいずれか一項に記載のシート。
【請求項１１】
前記吊り込み溝は、前記パッド部材において所定方向に長く形成されており、
前記布部材は、前記吊り込み溝の長手方向に沿って断続的に複数設けられており、
前記表皮重ね合わせ部は、断続的に複数並ぶ前記挟み込み部と、前記長手方向において前記挟み込み部の間に位置し前記挟み込み部と並ぶ並設部と、を有し、
前記並設部では、前記双方の前記表皮の端部同士が接しており、
前記溶着部は、複数の前記挟み込み部の各々と前記並設部とにおいて前記表皮の端部同士を溶着することで形成されていることを特徴とする請求項１乃至７のいずれか一項に記載のシート。
【発明の詳細な説明】
【技術分野】
【０００１】
本発明は、シートに係り、特に、吊り込み溝が形成されたパッド部材を覆うカバー部材を、吊り込み溝内に在る固定部にカバー部材に取り付けられた布部材を固定することで吊り込んでいるシートに関する。
【背景技術】
【０００２】
シートフレーム上にパッド部材を置き、当該パッド部材をカバー部材によって覆うことで構成されたシートは、既に周知である。かかるシートでは、カバー部材を吊り込むための構造が採用されているが、その一例としては、特許文献１に記載の吊り込み構造１００が挙げられる。特許文献１に記載の吊り込み構造１００について図８を参照しながら説明すると、カバー部材１０１が有する表皮１０２の端末部に吊り袋１０３が取り付けられている。この吊り袋１０３をパッド部材１０４に形成された溝１０５内に挿入して溝１０５内の固定部材１０６に固定することでカバー部材１０１を吊り込むこととしている。
【０００３】
また、上記の吊り袋１０３内に桁状の発泡体製クッション体１０７を装入する一方で、吊り袋１０３の両脇に位置する２枚の表皮１０２の端末部にて吊り袋１０３を挟み込み、これらを縫合している。そして、同図に示すように、縫合された吊り袋１０３と表皮１０２を溝１０５内に引き込んだ上で、吊り袋１０３内に在る吊りワイヤ１０８と固定部材１０６とをＣ型リング等のホグリング１０９にて締結する。これにより、カバー部材１０１が吊り込まれるようになる。
【０００４】
以上のように構成された特許文献１に記載の吊り込み構造１００では、パッド部材１０４に形成された溝１０５の開口の略中央（幅方向の略中央）にてカバー部材１０１を吊り込みことが可能となる。そして、溝１０５の開口の略中央にてカバー部材１０１を吊り込むことで、カバー部材１０１を備えるシートの外観を良好に仕上げることが可能となる。
【先行技術文献】
【特許文献】
【０００５】
【特許文献１】実願昭６０−４７３１３号（実開昭６１−１６３６００号）のマイクロフィルム
【発明の概要】
【発明が解決しようとする課題】
【０００６】
しかしながら、特許文献１に記載の吊り込み構造１００では、上述したように、吊り袋１０３の両脇に位置する２枚の表皮１０２の端部にて吊り袋１０３を挟み込み、これらを縫合している。つまり、特許文献１に記載の吊り込み構造１００では、固定部材１０６に固定される部材（厳密には、固定部材１０６に固定される吊りワイヤ１０８を内包する吊り袋１０３）と表皮２１との結合方式が縫合によるものである。縫合による結合は、比較的に外れ易く、このため、カバー部材１０１の吊り込み状態が適切に維持されなくなる虞がある。また、固定部材１０６に固定される部材をカバー部材１０１の表皮に結合する際には、その結合強度を確保しながらも結合作業をより容易に行うことが望まれる。
【０００７】
そこで、本発明は、上記の問題に鑑みてなされたものであり、その目的は、吊り込み溝内で固定される部材と、吊り込み溝内に引き込まれるカバー部材の表皮と、を強固に結合し、カバー部材の吊り込み状態を適切に維持することが可能なシートを提供することである。また、本発明の他の目的は、吊り込み溝内で固定される部材とカバー部材の表皮との結合強度を確保しつつ、その結合作業を容易に行うことである。
【課題を解決するための手段】
【０００８】
前記課題は、本発明のシートによれば、吊り込み溝が形成されたパッド部材と、表皮を備え前記パッド部材を覆うカバー部材と、前記吊り込み溝内に在る固定部と、前記カバー部材に取り付けられ前記カバー部材を吊り込むために前記固定部に固定される布部材と、を有するシートであって、前記カバー部材のうち、前記吊り込み溝の開口を通じて前記吊り込み溝内に入り込んだ第一部分及び第二部分の双方は、当該双方が備える前記表皮の端部同士を重ね合わせた表皮重ね合わせ部を形成しており、該表皮重ね合わせ部には、重ね合わされた前記表皮の端部の間に前記布部材を挟み込んだ挟み込み部と、少なくとも前記挟み込み部中の一部の領域において前記表皮の端部同士を溶着することで形成された溶着部と、が設けられていることにより解決される。
【０００９】
以上のように構成された本発明のシートでは、カバー部材のうち、吊り込み溝の開口を通じて吊り込み溝内に入り込んだ第一部分及び第二部分の双方が、それぞれの表皮の端部同士を重ね合わせることで表皮重ね合わせ部を形成している。この表皮重ね合わせ部では、重ね合わされた表皮の端部の間に、固定部に固定される布部材を挟み込んでいる。そして、表皮重ね合わせ部において布部材を挟み込んだ部分中、少なくとも一部の領域では表皮の端部同士が溶着されている。以上のように、本発明のシートでは、吊り込み溝内に入り込んだ２つの表皮の端部が、その間に布部材を挟み込んだ状態で溶着されている。この結果、表皮の端部と布部材とを強固に結合することが可能となり、以て、カバー部材の吊り込み状態を適切に維持することが可能となる。
【００１０】
また、上記のシートにおいて、前記表皮重ね合わせ部は、前記挟み込み部と、前記表皮重ね合わせ部の自由端とは反対位置で前記挟み込み部と隣接する隣接部と、を有し、該隣接部では、前記双方の前記表皮の端部同士が接しており、前記溶着部は、前記挟み込み部と前記隣接部との境界位置を跨いで形成されているとよい。
上記の構成では、溶着部が、挟み込み部と隣接部との境界位置を跨いで形成されているため、溶着部の形成範囲が挟み込み部内で収まる場合に比べて、表皮の端部と布部材とをより強固に結合することが可能となる。
【００１１】
また、上記のシートにおいて、前記吊り込み溝は、前記パッド部材において所定方向に長く形成されており、前記溶着部は、前記吊り込み溝の長手方向において前記表皮重ね合わせ部の一端から他端に亘って連続して形成されていると更によい。
上記の構成では、溶着部が吊り込み溝の長手方向において表皮重ね合わせ部の一端から他端に亘って連続して形成されている。かかる場合には、上記の長手方向において溶着部を断続的に形成する場合に比べて、溶着部の形成作業が容易になる。すなわち、上記の構成によれば、布部材とカバー部材の表皮との結合強度を確保しつつ、その結合作業を容易に行うことが可能となる。
【００１２】
また、上記のシートにおいて、前記挟み込み部は、前記表皮重ね合わせ部の自由端の位置から形成されており、前記溶着部は、少なくとも、前記自由端の位置から前記挟み込み部の前記自由端とは反対側にある端の位置まで形成されていると尚一層よい。
上記の構成では、表皮重ね合わせ部の自由端の位置から溶着部が形成され、少なくとも、上記の自由端とは反対側にある挟み込み部の端に達する位置まで溶着部が延びている。これにより、布部材とカバー部材の表皮との結合強度、特に、表皮重ね合わせ部の自由端から布部材が抜け外れてしまうのを抑えるのに十分な強度を確保することが可能となる。
【００１３】
また、上記のシートにおいて、前記挟み込み部は、前記自由端の位置から前記挟み込み部の前記自由端とは反対側にある端を越えた位置まで形成されていると益々よい。
上記の構成では、溶着部が、表皮重ね合わせ部の自由端とは反対側にある挟み込み部の端を越えた位置まで延びている。これにより、布部材とカバー部材の表皮の端部とをより強固に結合し、表皮重ね合わせ部の自由端から布部材が抜け外れてしまうのをより効果的に抑えることが可能となる。
【００１４】
また、上記のシートにおいて、前記カバー部材は、前記表皮からなる層とクッション性材料からなる層とを備える部分と、前記表皮からなる層を備える一方で前記クッション性材料からなる層を欠く部分と、を有し、前記双方は、いずれも、前記表皮からなる層を備える一方で前記クッション性材料からなる層を欠く部分に相当するとよい。
上記の構成では、カバー部材のうち、クッション性材料からなる層を欠く部分が備える表皮の端部を重ね合わせて、当該端部同士を溶着する。つまり、上記の構成では、表皮の端部同士を溶着する際の溶着範囲に、クッション性材料からなる層が入らなくなる。これにより、表皮の端部同士を適切に溶着することが可能となる。
【００１５】
また、上記のシートにおいて、前記吊り込み溝は、前記パッド部材において所定方向に長く形成されており、前記溶着部は、前記挟み込み部中、前記吊り込み溝の長手方向における一端位置から他端位置に亘る領域に形成されているとよい。
上記の構成では、溶着部が挟み込み部中、吊り込み溝の長手方向における一端位置から他端位置に亘る領域に形成されている。つまり、布部材は、上記の長手方向において一端から他端に亘って表皮の端部と結合されることになる。これにより、上記の長手方向において、布部材と表皮との結合領域を確保し、両者を強固に結合することが可能となる。
【００１６】
また、上記のシートにおいて、前記吊り込み溝は、前記パッド部材において所定方向に長く形成されており、前記表皮重ね合わせ部は、前記挟み込み部と、前記吊り込み溝の長手方向において前記挟み込み部と並ぶ位置に設けられた並設部と、を有し、該並設部では、前記双方の前記表皮の端部同士が接しており、前記溶着部は、前記長手方向において前記挟み込み部と前記並設部との境界位置を越えて形成されていると更によい。
上記の構成では、溶着部が吊り込み溝の長手方向において挟み込み部と並設部との境界位置を越えて形成されている。これにより、上記の長手方向において、布部材と表皮との結合領域をより広く確保し、両者をより強固に結合することが可能となる。
【００１７】
また、上記のシートにおいて、前記並設部は、前記長手方向の一端側で前記挟み込み部と並ぶ位置、及び、前記長手方向の他端側で前記挟み込み部と並ぶ位置にそれぞれ設けられ、前記溶着部は、前記長手方向の一端側に設けられた前記並設部と前記挟み込み部との境界位置を越え、かつ、前記長手方向の他端側に設けられた前記並設部と前記挟み込み部との境界位置を越えて形成されていると尚一層よい。
上記の構成では、溶着部が吊り込み溝の長手方向の一端側に設けられた挟み込み部と並設部との境界位置を越え、かつ、長手方向の他端側に設けられた挟み込み部と並設部との境界位置を越えて形成されている。これにより、吊り込み溝の長手方向において、布部材と表皮との結合領域を更に広く確保し、両者を一段と強固に結合することが可能となる。
【００１８】
また、上記のシートにおいて、前記吊り込み溝は、前記パッド部材において所定方向に長く形成されており、前記布部材は、前記吊り込み溝の長手方向に沿って連続した状態で設けられており、前記長手方向における前記布部材の一端が、前記長手方向における前記吊り込み溝の一端と隣り合い、前記長手方向における前記布部材の他端が、前記長手方向における前記吊り込み溝の他端と隣り合うとよい。
上記の構成では、布部材が吊り込み溝の長手方向に沿って連続している。また、上記の構成では、上記の長手方向における吊り込み溝の略全域に亘って布部材が設けられている。このような構成であれば、上記の長手方向において布部材を断続的に複数設ける構成に比べて、カバー部材の表皮と布部材との結合作業を容易に行うことが可能となる。
【００１９】
また、上記のシートにおいて、前記吊り込み溝は、前記パッド部材において所定方向に長く形成されており、前記布部材は、前記吊り込み溝の長手方向に沿って断続的に複数設けられており、前記表皮重ね合わせ部は、断続的に複数並ぶ前記挟み込み部と、前記長手方向において前記挟み込み部の間に位置し前記挟み込み部と並ぶ並設部と、を有し、前記並設部では、前記双方の前記表皮の端部同士が接しており、前記溶着部は、複数の前記挟み込み部の各々と前記並設部とにおいて前記表皮の端部同士を溶着することで形成されていてもよい。
上記の構成では、吊り込み溝の長手方向に沿って並ぶ複数の挟み込み部の各々と、挟み込み部の間に位置する並設部と、において表皮の端部同士を溶着することで溶着部が形成されている。このような構成では、布部材が吊り込み溝の長手方向に沿って連続している構成に比べて、カバー部材の表皮と布部材とを結合する際に手間を要するものの、並設部にも溶着部を形成するので、当該並設部の見た目（仕上がり）が良好となる。
【発明の効果】
【００２０】
本発明のシートによれば、吊り込み溝内に入り込んだ２つの表皮の端部が、その間に、固定部に固定される布部材を挟み込んだ状態で溶着されている。この結果、表皮の端部と布部材とを強固に結合することが可能となり、以て、カバー部材の吊り込み状態を適切に維持することが可能となる。
また、本発明のシートによれば、溶着部が挟み込み部と隣接部との境界位置を跨いで形成されているため、表皮の端部と布部材とをより強固に結合することが可能となる。
また、本発明のシートによれば、溶着部が吊り込み溝の長手方向において表皮重ね合わせ部の一端から他端に亘って連続して形成されていることにより、布部材とカバー部材の表皮との結合強度を確保しつつ、その結合作業を容易に行うことが可能となる。
また、本発明のシートによれば、表皮重ね合わせ部の自由端の位置から溶着部が形成され、少なくとも、上記の自由端とは反対側にある挟み込み部の端に達する位置まで溶着部が延びている。これにより、表皮重ね合わせ部の自由端から布部材が抜け外れてしまうのを抑えるのに十分な強度を確保することが可能となる。
また、本発明のシートによれば、溶着部が、表皮重ね合わせ部の自由端とは反対側にある挟み込み部の端を越えた位置まで延びているので、表皮重ね合わせ部の自由端から布部材が抜け外れてしまうのをより効果的に抑えることが可能となる。
また、本発明のシートによれば、カバー部材のうち、クッション性材料からなる層を欠く部分にて表皮の端部同士を重ね合わせ、当該端部同士を溶着するため、表皮の端部同士を適切に溶着することが可能となる。
また、本発明のシートによれば、溶着部が挟み込み部中、吊り込み溝の長手方向における一端位置から他端位置に亘る領域に形成されているため、上記の長手方向において、布部材と表皮との結合領域を確保し、両者を強固に結合することが可能となる。
また、本発明のシートによれば、溶着部が吊り込み溝の長手方向において挟み込み部と並設部との境界位置を越えて形成されているため、上記の長手方向において、布部材と表皮との結合領域をより広く確保し、両者をより強固に結合することが可能となる。
また、本発明のシートによれば、溶着部が吊り込み溝の長手方向の一端側に設けられた挟み込み部と並設部との境界位置を越え、かつ、長手方向の他端側に設けられた挟み込み部と並設部との境界位置を越えて形成されているため、上記の長手方向において、布部材と表皮との結合領域を更に広く確保し、両者を一段と強固に結合することが可能となる。
また、本発明のシートによれば、布部材が、吊り込み溝の長手方向に沿って連続し、当該長手方向における吊り込み溝の略全域に亘って設けられているため、カバー部材の表皮と布部材との結合作業を容易に行うことが可能となる。
また、本発明のシートによれば、吊り込み溝の長手方向において挟み込み部の間に位置する並設部にも溶着部が形成されるので、当該並設部の見た目が良好となる。
【図面の簡単な説明】
【００２１】
【図１】本発明の一実施形態に係るシートの外観を示す図である。
【図２】吊り込み構造の全体図である。
【図３】図２中のＡ−Ａ断面を示す図である。
【図４】図３中の範囲Ｘの拡大図である。
【図５】吊り込み構造の正面図である。
【図６】変形例に係る吊り込み構造を示す図である。
【図７】他の変形例に係る吊り込み構造を示す図である。
【図８】従来のシートにおける吊り込み構造を示す図である。
【発明を実施するための形態】
【００２２】
以下、本発明の一実施形態（本実施形態）に係るシートとして、車両用シートを例に挙げて説明することとする。ただし、本発明のシートは、車両用シートに限定されるものではなく、シートフレーム上に載置したパッド部材をカバー部材により覆うことで構成されるシート、特に、カバー部材を吊り込むための構造を採用したシートであれば、特に用途についての制限はない。例えば、本発明のシートは、施設や建物内で用いられる通常の座席シート、或いは車両以外の乗物内で使用される乗物用シートとしても利用可能である。
【００２３】
なお、以下に説明する実施形態は、本発明の理解を容易にするための一例に過ぎず、本発明を限定するものではない。すなわち、本発明は、その趣旨を逸脱することなく、変更、改良され得ると共に、本発明にはその等価物が含まれることは勿論である。
【００２４】
本実施形態に係る車両用シート（以下、本シートＳ）は、図１に図示した外観を有している。図１は、本シートＳの外観を示した図である。なお、図１中、本シートＳの一部（具体的には、シートクッションＳ２の前端角部）については、図示の都合上、カバー部材２０を外した構成にて図示している。
【００２５】
本シートＳは、着座者の背部を支えるシートバックＳ１、着座者の臀部を支えるシートクッションＳ２、及び、着座者の頭部を支えるヘッドレストＳ３を主な構成要素として有する。シートバックＳ１及びシートクッションＳ２の各々は、不図示のシートフレームにパッド部材１０を載置し、更にパッド部材１０をカバー部材２０で覆うことで構成されている。なお、シートバックＳ１及びシートクッションＳ２は、吊り込み構造を除き、公知の構成を採用している。吊り込み構造とは、パッド部材１０の外形形状に沿って張られたカバー部材２０にてパッド部材１０を覆い、かかる状態でカバー部材２０を保持するための構造のことである。
【００２６】
以下、本シートＳが採用する吊り込み構造について、図２乃至５を参照しながら説明する。図２は、吊り込み構造の全体図である。なお、図２中、カバー部材２０の表皮２１では、破線にて吊り込み溝１１の開口位置を示している。図３は、図２中のＡ−Ａ断面を示す図である。図４は、図３中の範囲Ｘの拡大図である。図５は、吊り込み構造の正面図であり、図３中の矢視Ｂ方向から見たときの図である。ちなみに、図５では、図示を分かり易くするため、後述するホグリング３３の図示を省略している。
【００２７】
吊り込み構造を構成する要素としては、パッド部材１０に形成された吊り込み溝１１、カバー部材２０、固定ワイヤ１５及びトリムコード３０が挙げられる。以下、これらの構成要素について説明する。
【００２８】
吊り込み溝１１は、矩形型の開口１２を有する溝状空間であり、パッド部材１０において所定方向（例えば、本シートＳの横幅方向）に長く形成されている。なお、パッド部材１０は、図２に示すように、吊り込み溝１１の下方位置に若干の厚みを有する底壁部１０ａを有している。
【００２９】
カバー部材２０は、吊り込みの対象物であり表皮２１を有する。この表皮２１は、シートの外観を規定する表地層２１ａ、及び、表地層２１ａの裏側に位置しパッド部材１０と接する裏地層２１ｂによって構成されている。本実施形態において、表地層２１ａ及び裏地層２１ｂは、いずれも超音波溶着にて溶着可能な材質によって構成されている。具体的に説明すると、表地層２１ａは、ポリエステル等の合成樹脂のシート体からなる。また、裏地層２１ｂは、ナイロン糸からなるシート体と不織布シートとを貼り合せてなる。
【００３０】
また、カバー部材２０の大部分では、図３に示すように、表地層２１ａと裏地層２１ｂとの間にスラブ層２１ｃが介在している。このスラブ層２１ｃは、ウレタン等のクッション性材料からなる層に相当し、いわゆるワディングとして機能する。つまり、カバー部材２０は、スラブ層２１ｃが介在することで適度な厚みを有するようになる。
【００３１】
一方、カバー部材２０の一部分は、図３に示すように、表地層２１ａ及び裏地層２１ｂ（換言すると、表皮からなる層）を備える一方でスラブ層２１ｃを欠き、幾分薄厚となっている。かかる部分（以下、無スラブ部分）は、図３に示すように、カバー部材２０の吊り込み時に吊り込み溝１１内に引き込まれるようになる。
【００３２】
固定ワイヤ１５は、パッド部材１０の底壁部１０ａ内に埋設された状態で吊り込み溝１１の長手方向に沿って配索されている。この固定ワイヤ１５は、吊り込み溝１１の長手方向に沿って一定間隔毎に吊り込み溝１１内で露出している。具体的に説明すると、パッド部材１０の底壁部１０ａのうち、固定ワイヤ１５の上方位置にある部分が、吊り込み溝１１の長手方向に沿って一定間隔毎に切り欠かれている。固定ワイヤ１５は、上記の切り欠かれた部分を通じて吊り込み溝１１内で露出している。そして、固定ワイヤ１５の露出部分１５ａにはトリムコード３０が固定される。すなわち、固定ワイヤ１５の露出部分１５ａは、本発明の固定部に相当する。
【００３３】
トリムコード３０は、カバー部材２０に取り付けられ、カバー部材２０の吊り込み時に吊り込み溝１１内で固定ワイヤ１５の露出部分１５ａに固定されるものである。より具体的に説明すると、トリムコード３０は、所定方向に長く延びた帯状の部材である。そして、トリムコード３０は、図３に示すように、吊り込み時に吊り込み溝１１内に収容され、詳しくは、吊り込み溝１１の深さ方向に沿って延出した状態にある。また、トリムコード３０の先端部は、それ以外の部分に比して幾分膨出しており、吊り込み時において固定ワイヤ１５の露出部分１５ａの直上位置にある。そして、Ｃ型リングからなるホグリング３３によってトリムコード３０の先端部が露出部分１５ａに留められることにより、トリムコード３０が固定ワイヤ１５に固定されることとなる。
【００３４】
また、本実施形態において、トリムコード３０は、本発明の布部材に相当し、本実施形態では不織布からなる。ただし、トリムコード３０については、布製であれば特に制限されるものではないが、好ましくは、超音波溶着等により溶着可能な材質によって構成されているとよい。
【００３５】
なお、本実施形態では、一つの吊り込み溝１１に対して一つのトリムコード３０が収容されている。より具体的に説明すると、トリムコード３０は、その長手方向が吊り込み溝１１の長手方向に沿った状態で吊り込み溝１１内に収容されている。また、トリムコード３０は、吊り込み溝１１の長手方向に沿って連続しており、当該長手方向における溝内の略全域に亘って設けられている。つまり、カバー部材２０が吊り込まれた状態において、吊り込み溝１１の長手方向におけるトリムコード３０の一端が吊り込み溝１１の長手方向一端と隣り合い、トリムコード３０の他端が吊り込み溝１１の長手方向他端と隣り合っている。このように一つの吊り込み溝１１内に収容されるトリムコード３０が一つであり、また、吊り込み溝１１の長手方向における溝内の略全域に亘ってトリムコード３０が設けられていることで、比較的簡単な構成にてカバー部材２０を適切に吊り込むことが可能となる。
【００３６】
次に、吊り込み構造の各構成要素の位置関係について説明する。なお、以下では、カバー部材２０が吊り込まれた状態での位置関係を説明することとする。カバー部材２０が吊り込まれた状態では、図３に示すように、吊り込み溝１１の開口１２を通じてカバー部材２０の所定部分が吊り込み溝１１内に入り込んでいる。具体的に説明すると、カバー部材２０のうち、２つの無スラブ部分が、吊り込み溝１１の開口幅方向（開口１２の短手方向）に並んだ状態で吊り込み溝１１内に引き込まれている。ここで、上記２つの無スラブ部分のうちの一方、厳密には、開口幅方向において一端側に位置する無スラブ部分２２Ａは、本発明の第一部分に相当する。また、上記２つの無スラブ部分のうちの他方、厳密には、開口幅方向において他端側に位置する無スラブ部分２２Ｂは、本発明の第二部分に相当する。
【００３７】
そして、上記２つの無スラブ部分の双方は、図３に示すように、それぞれが備える表皮２１の端末部（端部に相当）同士を重ね合わせることで、表皮重ね合わせ部２３を形成している。この表皮重ね合わせ部２３は、図４に示すように４層をなしている。具体的に説明すると、内側の２層は、各無スラブ部分が有する表地層２１ａによって構成されており、その外側に、各無スラブ部分が有する裏地層２１ｂが配置されている。
【００３８】
なお、本実施形態において、表皮重ね合わせ部２３は、図４に示すように吊り込み溝１１の深さ方向に沿って延出し、同方向に若干の長さを有している。また、同図に示すように、表皮重ね合わせ部２３を構成する一対の表地層２１ａ及び一対の裏地層２１ｂは、略同じ長さを有している。つまり、表皮重ね合わせ部２３が形成された状態では、これを構成する各無スラブ部分の表地層２１ａ及び裏地層２１ｂのそれぞれの端末位置が略揃うようになる。
【００３９】
また、表皮重ね合わせ部２３には、重ね合わされた表皮２１の端末部の間にトリムコード３０の基端部（先端部３１とは反対側の端部）を挟み込んだ挟み込み部２４が設けられている。つまり、カバー部材２０が吊り込まれた状態において、トリムコード３０は、吊り込み溝１１の開口幅方向において２つの表皮２１の端末部（厳密には、各無スラブ部分が有する表地層２１ａの端末部）の間に挟まれた状態で吊り込み溝１１内に配置されることになる。
【００４０】
なお、本実施形態では、図３に示すように、表皮重ね合わせ部２３が吊り込み溝１１の開口幅方向において略中央に形成されている。したがって、カバー部材２０の吊り込み時におけるトリムコード３０の配置位置についても、上記の開口幅方向において略中央に位置するようになる。すなわち、本実施形態では、吊り込み溝１１の開口幅方向における略中央位置にてカバー部材２０を吊り込むようになる。このように吊り込み溝１１の開口幅方向の略中央にてカバー部材２０を吊り込むことで、当該カバー部材２０を備える本シートＳの外観を良好に仕上げることが可能となる。
【００４１】
さらに、表皮重ね合わせ部２３には、挟み込み部２４において表皮２１の端末部同士を超音波溶着することで形成された溶着部２５が設けられている。この溶着部２５が形成されることにより、挟み込み部２４において表皮２１の端末部同士の間に挟み込みされたトリムコード３０が、当該表皮２１の端末部と強固に結合するようになる。このようにトリムコード３０と表皮２１の端末部との結合強度が確保される結果、トリムコード３０の抜け外れが抑制され、以てカバー部材２０の吊り込み状態が適切に維持されるようになる。
【００４２】
また、表皮重ね合わせ部２３は、図３に示すように、吊り込み溝１１内に入り込んだ２つの無スラブ部分がそれぞれ有する表皮２１の端末部同士を重ね合わせることで形成されている。したがって、溶着部２５は、無スラブ部分の表皮２１の端末同士を超音波溶着することで形成されることになる。つまり、表皮２１の端末部同士を超音波溶着する際の溶着範囲にはスラブ層２１ｃが入っておらず、これにより、表皮２１の端末部同士が適切に溶着されることになる。
【００４３】
なお、本実施形態では、トリムコード３０と表皮２１の端末部とを溶着結合する方法として超音波溶着を用いることとしたが、超音波溶着以外の振動溶着（具体的には高周波溶着）を用いてもよく、あるいは、振動溶着以外の熱溶着を用いてもよい。
【００４４】
以下、溶着部２５の形成範囲について、図４及び５を参照しながら詳しく説明する。なお、以下では、吊り込み溝１１の深さ方向を「溝深さ方向」と呼び、吊り込み溝１１の長手方向を「溝長手方向」と呼ぶこととする。また、図４では溝深さ方向を、図５では溝長手方向を、それぞれ矢印にて示している。また、図５において、溶着部２５の形成範囲は、斜線ハッチングが施された範囲にて図示されている。
【００４５】
溶着部２５の形成範囲について説明するにあたり、上述した表皮重ね合わせ部２３の構成について改めて説明する。表皮重ね合わせ部２３は、溝深さ方向に沿って延出しており、その延出方向先端部（自由端側の端部）に挟み込み部２４を備えている。つまり、表皮重ね合わせ部２３の先端側では、図４に示すように、表皮２１の端末部の間にトリムコード３０の基端部が差し込まれている。そして、挟み込み部２４が、表皮重ね合わせ部２３の先端位置から延出方向に沿って若干の距離だけ拡がるように形成されている。なお、本実施形態における挟み込み部２４の形成範囲は、表皮重ね合わせ部２３の延出方向先端から３〜８ｍｍの距離だけ拡がっている。
【００４６】
また、表皮重ね合わせ部２３は、図４に示すように、その延出方向先端とは反対位置で挟み込み部２４と隣接する隣接部２６を備えている。この隣接部２６では、同図に示すように、重ね合わされた２つの表皮２１の端末部（厳密には、表地層２１ａ）同士が直接接している。さらに、表皮重ね合わせ部２３は、図５に示すように、溝長手方向において挟み込み部２４の両脇に位置して挟み込み部２４と並ぶ並設部２７を更に備えている。この並設部２７は、溝長手方向一端側で挟み込み部２４と並ぶ位置、及び、溝長手方向他端側で挟み込み部２４と並ぶ位置にそれぞれ設けられている。そして、並設部２７では、重ね合わされた２つの表皮２１の端末部（厳密には、表地層２１ａ）同士が直接接している。
【００４７】
溶着部２５は、上述した挟み込み部２４の形成範囲中、少なくとも一部の領域に差し掛かるように形成されている。この結果、２つの表皮２１の端末部と、その間に挟まれたトリムコード３０と、がより強固に結合することとなる。そして、表皮２１とトリムコード３０との結合強度が高まることにで、表皮２１とトリムコード３０との結合状態が安定し、カバー部材２０の吊り込み状態が適切に維持されることとなる。
【００４８】
また、溶着部２５は、図４に示すように、表皮重ね合わせ部２３の延出方向（換言すると、溝深さ方向）において、表皮重ね合わせ部２３の先端位置から挟み込み部２４の末端に亘って形成されている。ここで、挟み込み部２４の末端とは、表皮重ね合わせ部２３の先端とは反対側に位置する端のことであり、具体的には、当該先端から３〜８ｍｍ離れた位置にある端のことである。さらに、本実施形態において溶着部２５は、表皮重ね合わせ部２３の先端位置から「挟み込み部２４の末端を越えた位置」まで形成されている。なお、本実施形態において、「挟み込み部２４の末端を越えた位置」は、表皮重ね合わせ部２３の先端から約１０ｍｍ離れた位置に設定されている。
【００４９】
以上のように表皮重ね合わせ部２３の延出方向先端位置から挟み込み部２４の末端位置、より厳密には、当該末端を越えた位置まで溶着部２５が形成されることにより、表皮２１の端末部とトリムコード３０とをより強固に結合することが可能となる。これにより、トリムコード３０が表皮重ね合わせ部２３の先端から抜け外れてしまうのを効果的に抑制することが可能となる。
【００５０】
ここで、表皮重ね合わせ部２３の延出方向における溶着部２５の形成範囲について別視点から説明すると、溶着部２５は、図４に示すように、挟み込み部２４とその隣接部２６との境界位置を跨ぐように連続的に形成されている。このように溶着部２５が挟み込み部２４と隣接部２６との境界位置を跨いで形成されていることで、溶着部２５の形成範囲が挟み込み部２４内で収まる場合に比べて、表皮２１の端末部とトリムコード３０との結合状態をより強固にすることが可能となる。
【００５１】
一方、溝長手方向における溶着部２５の形成範囲について説明すると、溶着部２５は、図５に示すように、挟み込み部２４中、溝長手方向における一端位置から他端位置に亘る領域に形成されている。また、本実施形態において溶着部２５は、同図に示すように、溝長手方向において挟み込み部２４と並設部２７との境界位置を越えて連続的に形成されている。厳密に説明すると、溶着部２５は、溝長手方向の一端側に設けられた並設部２７と挟み込み部２４との境界位置を越え、かつ、溝長手方向の他端側に設けられた並設部２７と挟み込み部２４との境界位置を越えて形成されている。
【００５２】
以上のように溝長手方向における挟み込み部２４の一端位置から他端位置に亘る範囲、さらには挟み込み部２４と並設部２７との境界位置を越えた範囲まで溶着部２５が形成されることで、トリムコード３０と表皮２１との結合領域を十分に確保し、両者の結合をより一層強固にすることが可能となる。
【００５３】
ここで、溝長手方向における溶着部２５の形成範囲について別視点から説明すると、溶着部２５は、図５に示すように、溝長手方向において表皮重ね合わせ部２３の一端から他端に亘って連続して形成されている。このような構成であれば、溝長手方向において溶着部２５を断続的に形成する場合に比べて、溶着部２５の形成作業（すなわち、トリムコード３０と表皮２１の端末部との結合作業）を容易に行うことが可能となる。
【００５４】
ちなみに、トリムコード３０と表皮２１の端末部との結合作業が容易になるという効果は、一つの吊り込み溝１１内に一つのトリムコード３０が収容される構成であれば、効果的に発揮される。ただし、これに限定されるものではなく、一つの吊り込み溝１１内に複数のトリムコード４０が収容されていてもよい。より具体的に説明すると、図６に示すように、トリムコード４０が溝長手方向に沿って断続的に複数設けられ、当該複数のトリムコード４０が一つの吊り込み溝１１内に収容されることとしてもよい。図６は、変形例に係る吊り込み構造を示す図であり、図５と対応した図である。なお、図６では、矢印にて溝長手方向が示されており、また、溶着部２５の形成範囲が、斜線ハッチングが施された範囲にて図示されている。
【００５５】
以下、変形例に係る吊り込み構造について図６を参照しながら説明する。なお、以下では、変形例に係る吊り込み構造のうち、既に説明した実施形態に係る吊り込み構造と共通する内容については説明を省略し、変形例特有の構成のみについて説明することとする。
【００５６】
変形例では、前述したように、複数のトリムコード４０が溝長手方向に沿って断続的に並んだ状態で吊り込み溝１１内に収容されることになっている。したがって、表皮重ね合わせ部２３においては、図６に示すように、トリムコード４０の数と同数の挟み込み部２４が、溝長手方向に沿って断続的に並ぶように形成されていることになる。また、溝長手方向において挟み込み部２４の間には、当該挟み込み部２４と並ぶ並設部２７が設けられている。なお、図６に図示したケースでは、トリムコード４０の数（換言すると、挟み込み部２４の数）が３個になっているが、これに限定されるものではなく、２個以上の任意の個数に設定することが可能である。
【００５７】
そして、変形例では、複数の挟み込み部２４の各々、並びに、挟み込み部２４間にある並設部２７の各々において表皮２１の端末部同士を溶着することで溶着部２５が形成されている。厳密に説明すると、変形例では、図６に示すように、溶着部２５が溝長手方向において表皮重ね合わせ部２３の一端から他端に亘って連続的に形成されている。
【００５８】
以上の構成により、変形例ではトリムコード４０が複数設けられているので、既に説明した実施形態（一つの吊り込み溝１１に一つのトリムコード３０が収容される構成）と比較すると、表皮２１とトリムコード４０とを結合する際には、より手間を要することとなる。その一方で、変形例では、挟み込み部２４間の並設部２７にも溶着部２５が形成されるため、当該並設部２７の見た目（仕上がり）が良好となる。
【００５９】
なお、一つの吊り込み溝１１内に複数のトリムコード４０が収容される構成としては、上記の変形例とは異なる構成も考えられる。具体的に説明すると、上記の変形例では、上述したように、挟み込み部２４間の並設部２７にも溶着部２５を形成することとした。かかる構成とは異なり、図７に示すように溶着部２５の形成範囲を、溝長手方向において各挟み込み部２４がある領域に限定してもよい。すなわち、挟み込み部２４と同様に、複数の溶着部２５が溝長手方向に沿って断続的に並んだ状態で形成されてもよい。図７は、他の変形例に係る吊り込み構造を示す図であり、図６と対応した図である。
【符号の説明】
【００６０】
１０  パッド部材
１０ａ  底壁部
１１  吊り込み溝
１２  開口
１５  固定ワイヤ
１５ａ  露出部分（固定部）
２０  カバー部材
２１  表皮
２１ａ  表地層（表皮からなる層）
２１ｂ  裏地層（表皮からなる層）
２１ｃ  スラブ層（クッション性材料からなる層）
２２Ａ，２２Ｂ  無スラブ部分
２３  表皮重ね合わせ部
２４  挟み込み部
２５  溶着部
２６  隣接部
３０，４０  トリムコード（布部材）
３３  ホグリング
１００  吊り込み構造
１０１  カバー部材
１０２  表皮
１０３  吊り袋
１０４  パッド部材
１０５  溝
１０６  固定部材
１０７  発泡体製クッション体
１０８  吊りワイヤ
１０９  ホグリング
Ｓ  本シート（シート）
Ｓ１  シートバック
Ｓ２  シートクッション
Ｓ３  ヘッドレスト
【図１】
2016112179.tif 000003
【図２】
2016112179.tif 000004
【図３】
2016112179.tif 000005
【図４】
2016112179.tif 000006
【図５】
2016112179.tif 000007
【図６】
2016112179.tif 000008
【図７】
2016112179.tif 000009
【図８】
2016112179.tif 000010